(57)【要約】【課題】内壁及び外壁の固定を簡単かつ容易にし、しかも内壁及び外壁の構成及び被覆に関して制限が生じないようにする。【解決手段】側壁及び背壁の外壁２５が少なくともその上縁部の領域に、折り曲げられた縁部２６を有していて、かつ内側に懸架エレメント４６を有しており、該懸架エレメントが鉛直フレーム脚１１の懸架受容部２２及び／又は、フレーム枠１０に結合された内壁２０の懸架受容部２２に懸架可能であり、閉鎖されたルーフフード３１が、該ルーフフードの側壁の末端折り曲げ部３９に設けられた押圧エレメント３２で、懸架された外壁２５の縁部２６に支持されて、外壁２５の懸架位置を保護する。【選択図】　　　図４
2004048966.tif 000002
【特許請求の範囲】
【請求項１】
フレーム枠を備えた配電盤キャビネットであって、フレーム枠が、少なくとも１つの二重壁のキャビネットドアと２つの側壁と１つの背壁と１つのカバー壁とを用いて閉鎖可能であるか又は閉鎖されており、側壁及び背壁がそれぞれ内壁と外壁とから成っていて、フレーム枠に固定されており、さらにカバー壁にルーフフードが装着されていて、該ルーフフードが背壁の領域において枢着されていて、キャビネットドアの領域では閉鎖位置において固定可能である形式のものにおいて、
側壁及び背壁の外壁（２５）が少なくともその上縁部の領域に、折り曲げられた縁部（２６）を有していて、かつ内側に懸架エレメント（４６）を有しており、該懸架エレメント（４６）が鉛直フレーム脚（１１）の懸架受容部（２２）及び／又は、フレーム枠（１０）に結合された内壁（２０）の懸架受容部（２２）に懸架可能であり、
閉鎖されたルーフフード（３１）が、該ルーフフード（３１）の側壁の末端折り曲げ部（３９）に設けられた押圧エレメント（３２）で、懸架された外壁（２５）の縁部（２６）に支持されて、外壁（２５）の懸架位置を保護することを特徴とする、フレーム枠を備えた配電盤キャビネット。
【請求項２】
内壁（２０）がフレーム枠（１０）とねじ結合されていて、内壁（２０）の折り曲げ区分（２８）が、フレーム枠（１０）のフレーム脚（１１，１２）の外側形材面（１３）にシールされて支持されていて、かつ内壁（２０）のその他の折り曲げ区分（２７）が、フレーム枠（１０）の鉛直フレームの受容室内に入れられている、請求項１記載の配電盤キャビネット。
【請求項３】
前記その他の折り曲げ区分（２７）が、対応配置された外壁（２５）に対して垂直に方向付けられていて、フレーム脚（１１，１２）のその他の形材面（１４）に対して平行に延びていて、かつ該形材面（１４）に対してＥＭＶシールエレメント（４２）によって遮蔽されている、請求項２記載の配電盤キャビネット。
【請求項４】
ルーフフード（３１）の側壁（３８）の末端折り曲げ部（３９）が、張り出していてかつ下方に向かって突出している水切り縁部（４７）を介して側壁（３８）に移行しており、該水切り縁部（４７）が、末端折り曲げ部（３９）と押圧エレメント（３２）と外壁（２５）の縁部（２６）との間に形成された移行部を覆っている、請求項１から３までのいずれか１項記載の配電盤キャビネット。
【請求項５】
ルーフフード（３１）の側壁（３８）の末端折り曲げ部（３９）が、下方及び外方に向かって２回直角に折り曲げられた目隠し兼保護縁部（４８）を介して、側壁（３８）に移行しており、該目隠し兼保護縁部（４８）が、末端折り曲げ部（３９）と押圧エレメント（３２）と外壁（２５）の縁部（２６）との間に形成された移行部を覆っている、請求項１から３までのいずれか１項記載の配電盤キャビネット。
【請求項６】
外壁（２５）が水平な上縁部及び鉛直な側縁部に、折り曲げられた縁部（２６）を備えており、水平な下縁部の領域において外壁（２５）が、内壁（２０）に対して少なくとも１つの空気流入開口を形成している、請求項１から５までのいずれか１項記載の配電盤キャビネット。
【請求項７】
フレーム枠（１０）の鉛直フレームの受容室内を延びている内壁（２０）が、外壁（２５）に対して所定の間隔を占めている、請求項１から６までのいずれか１項記載の配電盤キャビネット。
【請求項８】
外壁（２５）が、外側形材面（１３）を覆う折り曲げ区分（２８）に対して通気間隙を形成していて、該通気間隙が閉鎖されたルーフフード（３１）に開口しており、ルーフフード（３１）の側壁（３８）が空気流出開口（５０）を備えている、請求項１から７までのいずれか１項記載の配電盤キャビネット。
【請求項９】
懸架エレメント（４６）が、自由端部にピンヘッドを備えたピンとして形成され、かつ懸架受容部（２２）が鍵穴として形成されており、該鍵穴の上側に位置している導入開口がピンヘッドの直径に合わせられ、かつ該導入開口に続く保持スロットの幅が、ピンの直径に合わせられている、請求項１から８までのいずれか１項記載の配電盤キャビネット。
【請求項１０】
ルーフフード（３１）が開放された状態において次のように、すなわち背壁のために使用されかつ懸架された外壁（２５）の縁部（２６）の上方に、外壁（２５）の縁部（２６）の懸架移動距離を得るための自由区間が鉛直方向において生じるように、枢着されかつフレーム枠（１０）から距離をおいて突出している、請求項１から９までのいずれか１項記載の配電盤キャビネット。
【請求項１１】
ルーフフード（３１）の閉鎖位置が、閉鎖されたキャビネットドア（４０）によって、保護されている、請求項１から１０までのいずれか１項記載の配電盤キャビネット。
【請求項１２】
押圧エレメント（３２）がシール部材として形成されていて、ルーフフード（３１）の側壁（３８）の末端折り曲げ部（３９）に取り付けられている、請求項１から１１までのいずれか１項記載の配電盤キャビネット。
【請求項１３】
押圧エレメント（３２）がアングルとして形成されていて、該アングルがルーフフード（３１）の側壁（３８）に取り付けられている、請求項１から１１までのいずれか１項記載の配電盤キャビネット。
【発明の詳細な説明】
【０００１】
【発明の属する技術分野】
本発明は、フレーム枠を備えた配電盤キャビネットであって、フレーム枠が、少なくとも１つの二重壁のキャビネットドアと２つの側壁と１つの背壁と１つのカバー壁とを用いて閉鎖可能であるか又は閉鎖されており、側壁及び背壁がそれぞれ内壁と外壁とから成っていて、フレーム枠に固定されており、さらにカバー壁にルーフフードが装着されていて、該ルーフフードが背壁の領域において枢着されていて、キャビネットドアの領域では閉鎖位置において固定可能である形式のものに関する。
【０００２】
【従来の技術】
このような形式の配電盤キャビネットは主に戸外で使用され、フレーム枠の被覆体を二重壁構造は、特に破壊行為に対する安全性を高め、内壁と外壁との間に形成された空間もしくは室を、ルーフフードと接続して通気を改善するために役立つ。
【０００３】
二重壁のための固定箇所が、外部から接近及び場合によって解除され得ないようにするために、内壁は外壁の内側において固定され、まとめられた二重壁はフレーム枠の内室から該フレーム枠と結合されている。配電盤キャビネットの側壁及び背壁における二重壁をこのように取り付けることは、面倒なだけではなく、内壁及び外壁の構成をも制限し、かつフレーム枠における二重壁のシール効果をも制限することになる。
【０００４】
【発明が解決しようとする課題】
ゆえに本発明の課題は、冒頭に述べた形式の配電盤キャビネットを改良して、内壁及び外壁の固定を簡単かつ容易にし、しかも内壁及び外壁の構成及び被覆に関して制限が生じないようにすることである。
【０００５】
【課題を解決するための手段】
この課題を解決するために本発明の構成では、側壁及び背壁の外壁が少なくともその上縁部の領域に、折り曲げられた縁部を有していて、かつ内側に懸架エレメントを有しており、該懸架エレメントが鉛直フレーム脚の懸架受容部及び／又は、フレーム枠に結合された内壁の懸架受容部に懸架可能であり、閉鎖されたルーフフードが、該ルーフフードの側壁の末端折り曲げ部に設けられた押圧エレメントで、懸架された外壁の縁部に支持されて、外壁の懸架位置を保護するようになっている。
【０００６】
【発明の効果】
このような構成では、内壁を予め外側からフレーム枠に固定し、特にねじ結合することができる。カバーフードであるルーフフードが開放位置を占めている場合に、外壁はフレーム枠及び／又は該フレーム枠に取り付けられた内壁に簡単に懸架される。そして最後にルーフフードは閉鎖位置にもたらされる。この場合自体公知のように、ルーフフードの閉鎖位置は、閉鎖されたキャビネットドアによって保護される。
【０００７】
本発明の別の構成では、内壁がフレーム枠とねじ結合されていて、内壁の折り曲げ区分が、フレーム枠のフレーム脚の外側形材面にシールされて支持されていて、かつ内壁のその他の折り曲げ区分が、フレーム枠の鉛直フレームの受容室内に入れられている。このように構成されていると、配電盤キャビネットの外寸が二重壁によって不必要に増大されることはない。それというのは、この場合内壁はフレーム枠の鉛直フレームの対応する受容室内に配置され、これらの受容室はフレーム枠の所属の水平フレーム脚及び垂直フレーム脚によって取り囲まれているからである。
【０００８】
配電盤キャビネットのＥＭＶシールのための付加的な可能性を得るために、本発明の別の構成では、前記その他の折り曲げ区分が、対応配置された外壁に対して垂直に方向付けられていて、フレーム脚のその他の形材面に対して平行に延びていて、かつ該形材面に対してＥＭＶシールエレメントによって遮蔽されている。　ルーフフードから流れ落ちる雨水が側壁及び背壁に侵入することを回避するために、本発明の別の構成では、ルーフフードの側壁の末端折り曲げ部が、張り出していてかつ下方に向かって突出している水切り縁部を介して側壁に移行しており、該水切り縁部が、末端折り曲げ部と押圧エレメントと外壁の縁部との間に形成された移行部を覆っている。
【０００９】
同じ目的を達成するために本発明の別の構成では、ルーフフードの側壁の末端折り曲げ部が、下方及び外方に向かって２回直角に折り曲げられた目隠し兼保護縁部を介して、側壁に移行しており、該目隠し兼保護縁部が、末端折り曲げ部と押圧エレメントと外壁の縁部との間に形成された移行部を覆っている。この場合目隠し兼保護縁部はルーフフードから本来の配電盤キャビネットへの移行部を完全に覆うことができる。
【００１０】
側壁及び背壁毎に、空気流入開口を備えていて閉鎖された空気通路を得るために、本発明の別の構成では、外壁が水平な上縁部及び鉛直な側縁部に、折り曲げられた縁部を備えており、水平な下縁部の領域において外壁が、内壁に対して少なくとも１つの空気流入開口を形成している。このような構成では、フレーム枠の鉛直フレームの受容室内において延在する内壁が、外壁に対して所定の間隔を有することができる。
【００１１】
これらの空気通路からの空気流出を明確にするために本発明の別の構成では、外壁が、外側形材面を覆う折り曲げ区分に対して通気間隙を形成していて、該通気間隙が閉鎖されたルーフフードに開口しており、ルーフフードの側壁が空気流出開口を備えている。
【００１２】
また本発明の特に有利な構成では、懸架エレメントが、自由端部にピンヘッドを備えたピンとして形成され、かつ懸架受容部が鍵穴として形成されており、該鍵穴の上側に位置している導入開口がピンヘッドの直径に合わせられ、かつ該導入開口に続く保持スロットの幅が、ピンの直径に合わせられている。
【００１３】
ルーフフードの枢着が、配電盤キャビネットの背壁のための外壁の懸架及び場合によっては取外しを損なわないようにするために、本発明のさらに別の構成では、ルーフフードが開放された状態において次のように、すなわち背壁のために使用されかつ懸架された外壁の縁部の上方に、外壁の縁部の懸架移動距離を得るための自由区間が鉛直方向において生じるように、枢着されかつフレーム枠から距離をおいて突出している。
【００１４】
【発明の実施の形態】
次に図面を参照しながら本発明の実施の形態を説明する。
【００１５】
図１に示されたように、鉛直フレーム脚１１と水平フレーム脚１２とから成るフレーム枠１０は、開放した側が閉鎖される配電盤キャビネットのベースエレメントを形成しており、これによって、内室内に電気及び／又は電子的な構成ユニット及び構成グループを収容することができる。この場合戸外において配電盤キャビネットを設置するためには、破壊行為に対する保護や通気の可能性に関して特別な要求が課せられており、このような要求は、被覆体を二重壁に形成することによって最も良く満たすことができる。
【００１６】
図１に示された実施例におけるように、フレーム枠１０の開放した前側は、二重壁の２つのキャビネットドア４０を用いて閉鎖され、この場合レバー錠４１を用いて両キャビネットドア４０は閉鎖位置において固定される。フレーム枠１０の下側は支台部分５５によって閉鎖され、これに対してカバー壁３０はキャビネット上側を閉鎖する。
【００１７】
本発明においては、側壁及び背壁が二重壁として形成されていることと、フレーム枠１０における側壁及び背壁の固定とが重要である。
【００１８】
背壁の上縁部の領域には、ヒンジエレメント３３が示すように、ルーフフード３１が枢着されている。前側の上縁部の領域には固定エレメント３５が取り付けられており、この固定エレメント３５によってルーフフード３１は閉鎖位置において固定可能である。さらにルーフフード３１の側壁３８は閉鎖エレメント３４と、固定エレメント３５の対応エレメント３６とを有している。
【００１９】
ルーフフード３１の側壁３８は、内方に向かって折り曲げられた末端折り曲げ部３９へと移行して、そこで終わっており、この末端折り曲げ部３９は押圧エレメント３２を保持している。ヒンジエレメント３３のヒンジ軸線は、図２に示されているように配電盤キャビネットの外輪郭の外に位置している。ヒンジ部分３７はカバー壁３０に取り付けられている。ルーフフード３１が開放されている場合、背壁の上には鉛直方向における自由空間が得られ、この自由空間によって、図２の矢印で示されているように、懸架時における外壁２５の縁部２６の導入が可能になる。
【００２０】
背壁は内壁２０と外壁２５とから成っている。内壁２０は少なくとも上縁部の領域において折り曲げられていて、折り曲げ区分２７，２８，２９を備えたＵ字形の受容部を形成している。フレーム枠の上側の水平フレーム脚１２は、その形材面１３，１４，１５が内壁２０の前記受容部内に延びている。この場合外側形材面１３と折り曲げ区分２８との間に設けられたシールエレメント４３は、飛沫水に対してシール作用を有しており、これに対して形材面１４と折り曲げ区分２７との間におけるＥＭＶシールエレメント４２は、電気及び／又は磁気に対する遮蔽を実施することができる。
【００２１】
外側形材面１３と折り曲げ区分２８とが背壁の平面に対して平行に延びているのに対して、形材面１４，１５及び折り曲げ区分２７，２９は、背壁の平面に対して垂直に位置している。折り曲げ区分２９は折り曲げ部の領域において内壁２０を補強している。内壁２０はまたその鉛直方向の面においても同様に折り曲げられていて、かつ該内壁２０に向けられた鉛直フレーム脚１１を受容することができる。シール及び遮蔽も同様に行うことができる。
【００２２】
内壁２０の下縁部は下側の水平フレーム脚１２に固定され、シールされかつ遮蔽されることができる。
【００２３】
カバー壁３０は、図２に示されているように水平フレーム脚１２の水平な形材面に支持されており、この場合シールエレメント４４，４５を使用することができる。
【００２４】
外壁２５は少なくとも上縁部の領域に縁部２６を有しており、この縁部２６は鉛直な面を越えて続けて延びていてもよい。
【００２５】
内壁２０の折り曲げ区分２８は少なくとも鉛直な面に、懸架受容部２２として鍵穴を備えており、この場合導入開口は上側にしていて、保持スロットは下方に向かって案内されている。固定エレメント２３によって内壁２０は、該内壁２０に向けられたフレーム脚１１とねじ結合されている（図１参照）。内壁２０はその内側に、ピンヘッドを備えたピンとして形成されていて相応に分配配置された懸架エレメントを有している。持ち上げて外された位置（図２）において、これらの懸架エレメント４６は懸架受容部２２に導入される。外壁２５が放されると、その自重に基づいて、自動的に懸架位置が得られる。懸架結合部は次のように、すなわち外壁２５と内壁２０の折り曲げ区分２８との間において通気間隙が残されるように、設計されており、そしてこの通気間隙を介して、内壁２０と外壁２５との間の空間を通気する空気が、閉鎖されたルーフフード３１内に達し、かつ空気流出開口５０を介して外部に流出することができる。
【００２６】
ルーフフード３１が開放されている場合には、側壁において、既に堅固にねじ固定された内壁２０の懸架受容部２２への外壁２５の懸架が容易に導入可能である。ルーフフード３１が閉鎖されると、ルーフフード３１の側壁３８の末端折り曲げ部３９に取り付けられた押圧エレメント３２が、配電盤キャビネット被覆体の側壁の両外壁２５の懸架位置の保護を引き受ける（図３参照）。そしてシール及び遮蔽は図２に示されているように、変化されずに実施され得る。
【００２７】
側壁及び背壁の末端折り曲げ部３９は、対応する外壁２５に向けられて水切り縁部４７として突出していてもよい（図３及び図５）。この場合水切り縁部４７は、末端折り曲げ部３９から押圧エレメント３２を介して外壁２５の縁部２６へと通じる移行部を覆っている。そしてこの移行部はまた広幅の、目隠し兼保護縁部（Ｓｉｃｈｔ−　ｕｎｄ　Ｓｃｈｕｔｚｋａｎｔｅ）４８として形成されていてもよい（図６参照）。末端折り曲げ部３９はこの場合２回折り曲げられていて、本来の配電盤キャビネットへの移行部を完全に覆っている。
【００２８】
さらに図４から分かるように、外壁２５のための懸架箇所は次のように、すなわちこれらの懸架箇所が外側形材面１３の外側でフレーム脚１２，１１の外側角隅の自由空間に位置するように、設置されていてもよい。しかしながらまた、内壁２０の他の折り曲げ部では外壁２５が直接フレーム脚１０に懸架され得るような構成も、可能である。
【００２９】
図１〜図３に示された内壁２０の折り曲げ部には、二重壁が配電盤キャビネットの外寸を不必要に拡大しないという利点がある。内室に向かって折り曲げられた内壁２０は、フレーム枠１０の、該内壁２０に向けられた受容室によって受容される。この場合内壁２０と外壁２５との間の間隔は、フレーム深さの一部を占めている（特に図１〜図３参照）。このフレーム深さはフレーム脚１２の形材面１４によって与えられている。
【図面の簡単な説明】
【図１】キャビネットドア及びルーフフードが開放されかつ側壁の外壁が取り外された状態における、フレーム枠を備えた配電盤キャビネットを示す斜視図である。
【図２】背壁及びルーフフードの枢着部の領域を部分的に示す断面図である。
【図３】側壁及び二重壁の上縁部の領域を部分的に示す断面図である。
【図４】外壁の懸架結合部と共に示された、図３に相当する断面図である。
【図５】水切り縁部を備えた閉鎖されたルーフフードから側壁の外壁への移行部を部分的に示す断面図である。
【図６】目隠し兼保護縁部を備えた閉鎖されたルーフフードから側壁の外壁への移行部を部分的に示す断面図である。
【符号の説明】
１０　フレーム枠、　１１　鉛直フレーム脚、　１２　水平フレーム脚、　１３，１４，１５　形材面、　２０　内壁、　２２　懸架受容部、　２３　固定エレメント、　２５　外壁、　２６　縁部、　２７，２８，２９　折り曲げ区分、３０　カバー壁、　３１　ルーフフード、　３２　押圧エレメント、　３３　ヒンジエレメント、　３４　閉鎖エレメント、　３５　固定エレメント、　３６対応エレメント、　３７　ヒンジ部分、　３８　側壁、　３９　末端折り曲げ部、　４０　キャビネットドア、　４１　レバー錠、　４２　ＥＭＶシールエレメント、　４３，４４，４５　シールエレメント、　４６　懸架エレメント、　４７　水切り縁部、　４８　目隠し兼保護縁部、　５０　空気流出開口、　５５
支台部分
【図１】
2004048966.tif 000003
【図２】
2004048966.tif 000004
【図３】
2004048966.tif 000005
【図４】
2004048966.tif 000006
【図５】
2004048966.tif 000007
【図６】
2004048966.tif 000008